(57)【要約】【課題】コンクリート壁面の外側に配置する発泡プラスチック内のコンクリートの状況（硬化状態、気泡の巻き込みの有無）が確認できる組上げ構築壁施工法を提供する。【解決手段】所定間隔の充填用控空間を開けた一対の相対峙する発泡プラスチック製並行パネルブロック１を形成し、並行パネルブロック１内の充填用控空間にコンクリートを注入し、壁を組上げて構築するとともに、並行パネルブロック１を取り去らずに断熱材として用いる組上げ構築壁の施工方法において、並行パネルブロック１にのぞき窓３０を設けて、のぞき窓３０に透明部材３２を嵌め、透明部材３２を、並行パネルブロック１と枠形状のスペーサー３４とにより挟むように構成した。【選択図】図１
2007224584.tif 000002
【特許請求の範囲】
【請求項１】
所定間隔の充填用控空間を開けた一対の相対峙する発泡プラスチック製並行パネルブロック（型枠）を形成し、該並行パネルブロック内の充填用控空間にコンクリートを注入し、壁を組上げて構築するとともに、該並行パネルブロックを取り去らずに断熱材として用いる組上げ構築壁の施工方法において、
該並行パネルブロックにのぞき窓を設けて、該のぞき窓に透明部材を嵌め、該透明部材を、該並行パネルブロックと枠形状のスペーサーとにより挟むように構成した、組上げ構築壁の施工方法。
【請求項２】
該スペーサーが、気泡ボード、プラスチック段ボール、及び低発泡プラスチックボードのうちのいずれかを用いる請求項１記載の組上げ構築壁の施工方法。
【発明の詳細な説明】
【技術分野】
【０００１】
本発明は、家屋、事務所、低層ビル、各種小屋、物置等の建物壁、犬小屋、家畜小屋、飼育小屋等の動物舎壁、ビニールハウス、温室等の栽培ハウス壁、塀等の外構壁、垂直擁壁等として好ましく適用される組上げ構築壁の施工方法に関する。
【背景技術】
【０００２】
従来、この種の構築壁の施工に当っては、必要に応じ予め基礎コンクリートの打設硬化をまって、現場又は別途工場等で発泡プラスチック製パネルを充填用控空間を開けて二枚相対峙しプラスチック製の控連結部材両端を内側溝に嵌入して並行パネルブロック（型枠）を連結形成する。
【０００３】
次いで、現場に搬入した並行パネルブロック（型枠）の下端面全長に形成した嵌合凸起模様に一致する上端面全長に形成した嵌合凹陥模様を、かつ、左端面全長に延在した嵌合凸条を右端面全長に延在した嵌合凹条とをそれぞれ嵌込んで縦横に連続して所要段数多段に積上げて所望壁高と壁面の構築壁を組上げた後、前記充填用控空間内に補強鉄筋を配筋し、壁コンクリートを一気に充填打設して固化を図っていた（特許文献１参照）。
【０００４】
しかし、この建物壁施工法においては、発泡プラスチック内のコンクリートの状況、即ち硬化状態、気泡の巻き込みの有無などの壁工法に重要な特性の確認が出来ず、施工作業者の感覚に頼らざるを得ず、信頼性の高い建物壁を得られないという問題があった。
【０００５】
【特許文献１】特許第３４９９７８１号
【発明の開示】
【発明が解決しようとする課題】
【０００６】
本発明は、上記従来の施工法の課題に鑑みてなされたものであり、その目的とするところは、コンクリート壁面の外側に配置する発泡プラスチック内のコンクリートの状況（硬化状態、気泡の巻き込みの有無）が確認できる組上げ構築壁施工法を提供することにある。
【課題を解決するための手段】
【０００７】
本発明者らは上記目的を達成すべく、鋭意検討した結果、以下の構成とすることにより上記目的を達成することを見出し、本発明を完成するに至った。
【０００８】
すなわち、本発明によれば、所定間隔の充填用控空間を開けた一対の相対峙する発泡プラスチック製並行パネルブロック（型枠）を形成し、該並行パネルブロック内の充填用控空間にコンクリートを注入し、壁を組上げて構築するとともに、該並行パネルブロックを取り去らずに断熱材として用いる組上げ構築壁の施工方法において、該並行パネルブロックにのぞき窓を設けて、該のぞき窓に透明部材を嵌め、該透明部材を、該並行パネルブロックと枠形状のスペーサーとにより挟むように構成した、組上げ構築壁の施工方法が提供される。
【０００９】
本発明においては、スペーサーとして、気泡ボード、プラスチック段ボール、及び低発泡プラスチックボードのうちのいずれかを用いることが、耐水性に優れ、切削加工が容易であるため、好ましい。
【発明の効果】
【００１０】
本発明によれば、発泡プラスチック製並行パネルブロック（型枠）にのぞき窓を設けたので、並行パネルブロック（型枠）内に注入したコンクリートの状況（硬化状態、気泡の巻き込みの有無）が確認でき、確実で信頼性の高い組上げ構築壁の施工が可能となる。
【００１１】
また、のぞき窓に透明部材を嵌め、その透明部材を並行パネルブロックと枠形状のスペーサーとにより挟むように構成したので、並行パネルブロック内にコンクリートを流しこんだ際、コンクリートセメントは漏れず確実なシールを達成できる。
【発明を実施するための最良の形態】
【００１２】
以下、本発明を図面を参照しつつさらに詳細に説明するが、これに限定されて解釈されるものではなく、発明の範囲を逸脱しない限りにおいて、当業者の知識に基づいて、種々の変更、修正、改良を加え得るものである。
【００１３】
まず、本発明の基本となる組上げ構築壁の一例について説明する。この組上げ構築壁は、例えば、特許第３４９９７８１号に記載の施工法により構築される。図５及び図６は、組上げ構築壁の概略構造説明図で、αは構築壁、１は前パネルブロック２と後パネルブロック３を充填用控空間Ｌを開けて一対相対峙した発泡プラスチック製並行パネルブロック、４，５は上下に隣接する組上げた並行パネルブロック１相互を強固に結合する縦継目Ａ１内側面のみに上下半部ずつ隣接相互に入り込んで縦長に縦継目Ａ１を跨ってそれぞれ取付けた対向する一対の縦長の縦継目接手、６，７は縦継目接手４，５の上部と下部間に亙って、それぞれ両端を連結した上下分離型セパレーター、８は縦継目接手４，５と上下分離型セパレーター６，７とで組構した控支保組部材である。
【００１４】
９，１０はスタンド１１とブラケット１２とで組構した支脚組部材、１３は外並行アングル縦横継目接手１４と内並行アングル縦横継目接手１５とを一体型セパレーター１６で一体成形したコーナー組部材、１７は外並行直板縦継目接手１８と両側内並行アングル縦横継目接手１９を一体型セパレーター２０で一体連結成形したＴ字交差組部材、Ａ２は横継目、Ｂは地盤、Ｃは基礎コンクリート面、Ｌは充填用控空間である。
【００１５】
以上のように構成された組上げ構築壁において、本発明では、図１及び図２に示すように、発泡プラスチック製の並行パネルブロック（型枠）１の一部箇所に、四角形状など所定断面形状の貫通孔からなるのぞき窓３０を設けたものである。そして、のぞき窓３０に透明部材３２を嵌め、透明部材３２を、並行パネルブロック１と枠形状のスペーサー３４とにより挟むようにして固定することにより構成したものである。
【００１６】
このように、発泡プラスチック製の並行パネルブロック１にのぞき窓３０を設けたので、並行パネルブロック（型枠）１内に注入されたコンクリートの状況（硬化状態、気泡の巻き込みの有無）を確認することができ、したがって確実で信頼性の高い組上げ構築壁の施工が可能となる。
【００１７】
また、のぞき窓３０に透明部材３２を嵌め、その透明部材３２を並行パネルブロック１と枠形状のスペーサー３４とにより挟むように構成して、のぞき窓３０部分におけるシール性を向上させている。このような構成により、図２に示すように、並行パネルブロック１に設けた貫通孔からなるのぞき窓３０の内径と透明部材３２の外径の寸法精度がそれほど高くなくても、のぞき窓３０の内径と透明部材３２の外径の間にコンクリート３６が漏れてきても、枠形状のスペーサー３４により漏れたコンクリート３６が阻止されるため、並行パネルブロック１の外部にコンクリートセメントは漏れることはない。
このように、本発明によれば、並行パネルブロック１内にコンクリートを流しこんだ際、コンクリートセメントは漏れずに確実なシールを達成できる。
【００１８】
一方、図３及び図４に示すように、単に、並行パネルブロック１にのぞき窓４０に透明部材４２を嵌めるようにした構成においては、現場施工を考慮した場合、のぞき窓４０と透明部材４２との寸法精度はそれほど高くないため、並行パネルブロック１に設けた貫通孔からなるのぞき窓４０の内径と透明部材４２の外径との間に隙間４４が生じやすく、並行パネルブロック１内に注入されたコンクリートが漏れるという危険性が高まり、好ましくない。
【００１９】
次に、本発明の組上げ構築壁の施工方法に使用する主な部材について説明する。
本発明の並行パネルブロック１の材料として用いる発泡プラスチックは従来から公知のものであり、例えば発泡スチロール、硬質発泡ウレタンなどを挙げることができる。
【００２０】
のぞき窓３０に嵌める透明部材３２の材料としては、アクリル系樹脂、ポリカーボネート樹脂、エポキシ樹脂などの透明な樹脂や、透明なガラスなどを使用することができる。要は、並行パネルブロック（型枠）１内のコンクリート状況を確認することができる程度の透明性を有する材料からなるものであればよい。
【００２１】
スペーサー３４としては、枠形状のものであればよく、耐水性に優れ、切削容易なものがよい。例えば、気泡ボード、プラスチック段ボール、低発泡プラスチックボードなどが挙げられる。
なお、気泡ボードは、合成樹脂中空板ともいい、ポリプロピレン（ＰＰ）、高密度ポリエチレン（ＰＥ）等のオレフィン系重合体を主原料とする凹凸シートの両面に平坦シートを接合してなるボードであれば、特に限定されず、例えば、川上産業（株）製のプラパール（登録商標）などを挙げることができる。
【産業上の利用可能性】
【００２２】
本発明は、壁を組上げて構築するとともに、発泡プラスチック製並行パネルブロックを取り去らずに断熱材として用いる組上げ構築壁の施工方法において、並行パネルブロックにのぞき窓を設けたので、並行パネルブロック内に注入されたコンクリートの状況を確認でき、確実で信頼性の高い組上げ構築壁の施工が可能となるため、産業上の利用価値は極めて高いものである。
【図面の簡単な説明】
【００２３】
【図１】本発明において、のぞき窓を設けた組上げ構築壁の一例を示す分解斜視図である。
【図２】本発明において、のぞき窓を設けた組上げ構築壁の一例を示す断面説明図である。
【図３】比較例である、のぞき窓を設けた組上げ構築壁の一例を示す分解斜視図である。
【図４】比較例である、のぞき窓を設けた組上げ構築壁の一例を示す断面説明図である。
【図５】本発明における組上げ構築壁の一例を示す概略構造説明図である。
【図６】本発明における組上げ構築壁の一例を示す概略構造斜視図である。
【符号の説明】
【００２４】
１：発泡プラスチック製並行パネルブロック、２：前パネルブロック、３：後パネルブロック、４，５：一対の縦長の縦継目接手、６，７：上下分離型セパレーター、８：控支保組部材、９，１０：支脚組部材、１１：スタンド、１２：ブラケット、１３：コーナー組部材、１４：外並行アングル縦横継目接手、１５：内並行アングル縦横継目接手、１６：一体型セパレーター、１７：Ｔ字交差組部材、１８：外並行直板縦継目接手、１９：両側内並行アングル縦横継目接手、２０：一体型セパレーター、α：構築壁、Ｌ：充填用控空間、Ａ１：縦継目、Ａ２：横継目、Ｂ：地盤、Ｃ：基礎コンクリート面、Ｌ：充填用控空間、３０：のぞき窓、３２：透明部材、３４：スペーサー、３６：コンクリート、４０：のぞき窓、４２：透明部材、４４：隙間。
【図１】
2007224584.tif 000003
【図２】
2007224584.tif 000004
【図３】
2007224584.tif 000005
【図４】
2007224584.tif 000006
【図５】
2007224584.tif 000007
【図６】
2007224584.tif 000008